(57)【要約】【課題】本開示は、循環水路構成部品の浮き上がりを抑止する洗濯機を提供する。【解決手段】本開示における洗濯機１００は、洗濯兼脱水槽１と、洗濯兼脱水槽１の内底部である底部３から上方へ洗濯水を循環させる循環水路と、を備える。循環水路は、略筒状に形成されるとともに、パルセータ４の下方と連通する取水口１８と、洗濯兼脱水槽１の内部に注水する散水ノズル１５と、を有する循環水路構成部品１６Ａ、及び略筒状に形成されるとともに、パルセータ４の下方と連通する取水口１８と、洗濯兼脱水槽１の内部に注水するリントフィルタ１４と、を有する循環水路構成部品１６Ｂを含む。循環水路構成部品１６Ａ及び循環水路構成部品１６Ｂは、洗濯兼脱水槽１の内底部である底部３に対して固定手段により固定されている。これにより、扇形部１７と底部３を直接固定するため、扇形部１７が底部３から浮き上がることを防ぐことができる。【選択図】図３
2020178952.tif 000002
【特許請求の範囲】
【請求項１】
筐体と、前記筐体の内部に弾性支持された受筒と、前記受筒の内部に回転自在に内包された洗濯兼脱水槽と、前記洗濯兼脱水槽の内底部に回転自在に配設されたパルセータと、前記洗濯兼脱水槽及び／又は前記パルセータを回転駆動させるモータと、前記洗濯兼脱水槽の内底部から上方へ洗濯水を循環させる循環水路と、を備え、前記循環水路は、略筒状に形成されるとともに、前記パルセータの下方と連通する取水口と、前記洗濯兼脱水槽の内部に注水する開口と、を有する循環水路構成部品を含み、
前記循環水路構成部品は、前記洗濯兼脱水槽の内底部に対して固定手段により固定されている、洗濯機。
【請求項２】
前記循環水路構成部品を取り付ける際に位置決めを行う位置決め手段を備え、
前記固定手段は、前記循環水路構成部品の底部に形成された扇形部ツメ構造と、前記洗濯兼脱水槽の内底部に形成され、前記扇形部ツメ構造と係合する底部ツメ構造と、により構成されており、
前記循環水路構成部品を前記洗濯兼脱水槽に挿入して取り付ける際、前記扇形部ツメ構造が前記底部ツメ構造に当接するよりも前に、前記位置決め手段による位置決めが開始される、請求項１に記載の洗濯機。
【請求項３】
前記洗濯兼脱水槽の内底部には、前記循環水路構成部品の底部に対応するように扇形段部が形成され、
前記位置決め手段は、前記循環水路構成部品の底部に設けられたガイドピンと、扇形段部に設けられたガイドピン穴とにより構成され、
前記扇形部ツメ構造は、リブ状の扇形部ツメ構造支持部、傾斜面からなる扇形部ツメ構造案内面および略水平面からなる扇形部ツメ構造引掛け面とにより構成され、
前記底部ツメ構造は、前記扇形段部よりも下方に底部ツメ構造開口部が形成され、前記底部ツメ構造開口部内に、傾斜面からなる底部ツメ構造案内面が形成され、前記底部ツメ構造案内面の下端に略水平面からなる底部ツメ構造引掛け面が形成され、前記底部ツメ構造案内面は、前記扇形段部よりも低い位置から前記洗濯兼脱水槽の内底部の中心方向に向かって下方傾斜するように形成され、
前記循環水路構成部品を前記洗濯兼脱水槽に挿入して取り付ける際、
前記ガイドピンの先端部分が、前記ガイドピン穴に挿入された後、前記扇形部ツメ構造案内面が、前記底部ツメ構造案内面に当接し、その後、前記扇形部ツメ構造案内面が、前記底部ツメ構造案内面に沿って進み、前記ガイドピンが前記ガイドピン穴に挿入完了すると同時に、前記扇形部ツメ構造引掛け面と前記底部ツメ構造引掛け面とが係合し、止められるように構成した、請求項２に記載の洗濯機。
【発明の詳細な説明】
【技術分野】
【０００１】
本開示は、洗濯機に関する。
【背景技術】
【０００２】
特許文献１は、洗濯兼脱水槽の内部に循環水路構成部品を取り付け、洗濯水を循環させる洗濯機を開示する。特許文献１における洗濯機は、筐体と、筐体の内部に弾性支持された受筒と、受筒の内部に回転自在に内包された洗濯兼脱水槽と、洗濯兼脱水槽の内底部に回転自在に配設されたパルセータと、洗濯兼脱水槽及び／又はパルセータを回転駆動させるモータと、循環水路は、略筒状に形成されるとともに、パルセータの下方と連通する取水口と、前記洗濯兼脱水槽の内部に注水する開口と、を有する循環水路構成部品と、を備える。
【先行技術文献】
【特許文献】
【０００３】
【特許文献１】特開平９−２４１８７号公報
【発明の概要】
【発明が解決しようとする課題】
【０００４】
しかしながら、前記従来の構成では、循環水路構成部品は洗濯兼脱水槽の内底部に対して直接固定されていないため、組立や温度変化等による変形により、循環水路構成部品の下部が内底部から浮き上がることがあった。その場合、洗濯運転時に洗濯物が引っかかって損傷したり、循環水路構成部品と洗濯兼脱水槽との間に隙間が生じてリントが堆積したりするといった課題があった。
【０００５】
本開示は、循環水路構成部品の浮き上がりを抑止する洗濯機を提供する。
【課題を解決するための手段】
【０００６】
本開示における洗濯機は、筐体と、前記筐体の内部に弾性支持された受筒と、前記受筒の内部に回転自在に内包された洗濯兼脱水槽と、前記洗濯兼脱水槽の内底部に回転自在に配設されたパルセータと、前記洗濯兼脱水槽及び／又は前記パルセータを回転駆動させるモータと、前記洗濯兼脱水槽の内底部から上方へ洗濯水を循環させる循環水路と、を備える。前記循環水路は、略筒状に形成されるとともに、前記パルセータの下方と連通する取水口と、前記洗濯兼脱水槽の内部に注水する開口と、を有する循環水路構成部品を含み、前記循環水路構成部品は、前記洗濯兼脱水槽の内底部に対して固定手段により固定されている。
【発明の効果】
【０００７】
本開示における洗濯機は、循環水路構成部品の浮き上がりを抑止する。
【図面の簡単な説明】
【０００８】
【図１】実施の形態１における洗濯機の縦断面図
【図２】同洗濯機の洗濯兼脱水槽の外観斜視図
【図３】図２のＡ−Ａ断面図
【図４】同洗濯機の循環水路構成部品の扇形部周囲を示す外観斜視図
【図５】同洗濯機の洗濯兼脱水槽の底部の外観斜視図
【図６】図５における一点鎖線領域Ｘを拡大した外観斜視図
【図７】（ａ）〜（ｄ）同洗濯機の洗濯兼脱水槽の底部と扇形部との固定手段を示す縦断面図
【発明を実施するための形態】
【０００９】
以下、図面を参照しながら、実施の形態を詳細に説明する。なお、添付図面及び以下の説明によって本発明が限定されるものではない。
【００１０】
（実施の形態１）
以下、図１〜７を用いて、実施の形態１を説明する。
【００１１】
（洗濯機の基本構成）
図１は、実施の形態１における洗濯機の縦断面図である。
【００１２】
図１に示すように、受筒６は、上方に開口する有底円筒形状に形成されており、本体外枠８の内部にサスペンション９により弾性支持されている。洗濯兼脱水槽１は、同じく有底円筒形状に形成され、受筒６の内部に回転自在に内包されている。洗濯兼脱水槽１の上部には液体を内封したバランサ１０が組付けられており、バランサ１０は洗濯兼脱水槽１の振動を抑制する。洗濯兼脱水槽１は、金属により筒状に形成されている胴部２と、樹脂により形成されて胴部２の下部に配設されている底部３と、により構成されている。パルセータ４は、底部３に回転自在に配設されており、底部３を貫通してモータ７に接続されている。モータ７は、受筒６の外底部に配設されており、パルセータ４を単独で、又はパルセータ４及び洗濯兼脱水槽１を同時に回転駆動させる。
【００１３】
パルセータ４の裏面には、裏面から下垂形成された下側羽根１１が複数設けられている。下側羽根１１と底部３との間には、パルセータ４が底部３に取り付けられた状態で空間が形成され、この空間をポンプ室１２とする。
【００１４】
図２は、実施の形態１における洗濯機の洗濯兼脱水槽の外観斜視図、図３は、図２のＡ−Ａ断面図である。
【００１５】
図２に示すように、胴部２の内側面には、中部及び/又は上部に形成された散水ノズル１５から循環水を放水する循環水路構成部品１６Ａと、リントフィルタ１４により水を濾過するとともに放水する循環水路構成部品１６Ｂと、が設けられている。本実施の形態では、循環水路構成部品１６Ａ及び循環水路構成部品１６Ｂはそれぞれ二つずつ設けられており、等間隔で交互に配置されている。
【００１６】
循環水路構成部品１６Ａには略筒状の散水水路部（図示せず）が形成されており、散水水路部の上端は、開口として形成された散水ノズル１５を介して洗濯兼脱水槽１の内部と連通する。循環水路構成部品１６Ｂは、略筒状であって洗濯兼脱水槽１と対向する面が開口している濾過水路部（図示せず）が形成されており、濾過水路部の開口部分を覆うようにリントフィルタ１４が着脱可能に取り付けられている。リントフィルタ１４は、水を連通させるメッシュ素材等で構成されており、循環する水からリントを回収して内部に収集する。
【００１７】
図４は、実施の形態１における洗濯機の循環水路構成部品の扇形部周囲を示す外観斜視図である。
【００１８】
図４に示すように、循環水路構成部品１６Ａ及び循環水路構成部品１６Ｂの下部には、洗濯兼脱水槽１の円周方向に延伸する扇形部１７が形成されており、扇形部１７の中央部には、ポンプ室１２から送られた水を取り入れるための取水口１８が開口されている。扇形部１７の詳細構造については後述する。
【００１９】
受筒６の内部に水を溜めた状態でパルセータ４を回転させると、ポンプ室１２内の水は下側羽根１１により押し出され、取水口１８から散水水路部又は濾過水路部を介して上方へ送り込まれる。送り込まれた循環水は、散水ノズル１５又はリントフィルタ１４から洗濯兼脱水槽１内の洗濯物へ吐出される。このように、ポンプ室１２、循環水路構成部品１６Ａ、及び循環水路構成部品１６Ｂは、受筒６に溜められた水を上方へ送り込むための循環水路を構成している。
【００２０】
（循環水路構成部品１６Ａ及び循環水路構成部品１６Ｂの固定方法）
図５は、実施の形態１における洗濯機の洗濯兼脱水槽の底部の外観斜視図、図６は、図５における一点鎖線領域Ｘを拡大した外観斜視図、図７（ａ）〜（ｄ）は、同洗濯機の洗濯兼脱水槽の底部と扇形部との固定手段を示す縦断面図である。
【００２１】
循環水路構成部品１６Ａ及び循環水路構成部品１６Ｂは、扇形部１７において固定手段により底部３に固定されるとともに、散水水路部及び濾過水路部においてネジ止め（図示せず）により胴部２に固定される。
【００２２】
図４に示すように、扇形部１７の底面である扇形部底面２２には、ガイドピン２７及び扇形部ツメ構造２５が左右それぞれに設けられている。ガイドピン２７は、略円錐状に形成され、底部３との合わせ面となる位置から下方に延伸し、底部３に形成されたガイドピン穴２８へ挿入されるように形成されている。扇形部ツメ構造２５は、ガイドピン２７の先端と略同じ位置まで延伸し、先端が鉤状となるように形成されている。
【００２３】
図５及び図６に示すように、底部３には、扇形部底面２２に対応するように扇形段部２９が設けてあり、その扇形段部２９には、ガイドピン２７と対応する位置にガイドピン穴２８が設けられ、扇形部ツメ構造２５と対応する位置に底部ツメ構造２６が設けられている。
【００２４】
図７（ｂ）、（ｄ）に示すように、扇形部ツメ構造２５は、リブ状の扇形部ツメ構造支持部２５ａ、傾斜面からなる扇形部ツメ構造案内面２５ｂおよび略水平面（鉤状）からなる扇形部ツメ構造引掛け面２５ｃとにより、構成されている。また、底部ツメ構造２６は、扇形段部２９よりも下方に底部ツメ構造開口部２６ａが形成されており、その底部ツメ構造開口部２６ａ内に、傾斜面からなる底部ツメ構造案内面２６ｂが形成され、その下端に略水平面からなる底部ツメ構造引掛け面２６ｃが形成されている。そして、底部ツメ構造案内面２６ｂは、ガイドピン穴２８が形成されている扇形段部２９よりも低い位置から底部３の中心方向に向かって下方傾斜するように形成されている。
【００２５】
図７（ａ）〜（ｄ）に示すように、循環水路構成部品１６Ａ及び循環水路構成部品１６Ｂを底部３に取り付ける際、図７（ａ）のように、先にガイドピン２７の先端部分が、ガイドピン穴２８に挿入される。その際、図７（ｂ）のように、扇形部ツメ構造案内面２５ｂは、底部ツメ構造案内面２６ｂに、当接していない。続いて、扇形部ツメ構造案内面２５ｂが底部ツメ構造案内面２６ｂに当接する。その後、扇形部ツメ構造案内面２５ｂは、底部ツメ構造案内面２６ｂに沿って進み、図７（ｃ）のように、ガイドピン２７がガイドピン穴２８に挿入完了すると同時に、図７（ｄ）に示すように、扇形部ツメ構造引掛け面２５ｃと底部ツメ構造引掛け面２６ｃとが係合し、止められる。このように、扇形部ツメ構造案内面２５ｂと底部ツメ構造案内面２６ｂとが接されるよりも先に、ガイドピン２７がガイドピン穴２８に挿入されるように構成することで、位置決め前に扇形部ツメ構造２５が底部ツメ構造２６と当たり、扇形部１７が取り付け位置からずれることを抑止できる。
【００２６】
（作用等）
以上のように、実施の形態１における洗濯機１００は、本体外枠８と、本体外枠８の内部に弾性支持された受筒６と、受筒６の内部に回転自在に内包された洗濯兼脱水槽１と、洗濯兼脱水槽１の内底部である底部３に回転自在に配設されたパルセータ４と、洗濯兼脱水槽１及び／又はパルセータ４を回転駆動させるモータ７と、洗濯兼脱水槽１の内底部である底部３から上方へ洗濯水を循環させる循環水路と、を備える。循環水路は、略筒状に形成されるとともに、パルセータ４の下方と連通する取水口１８と、洗濯兼脱水槽１の内部に注水する散水ノズル１５と、を有する循環水路構成部品１６Ａ、及び略筒状に形成されるとともに、パルセータ４の下方と連通する取水口１８と、洗濯兼脱水槽１の内部に注水するリントフィルタ１４と、を有する循環水路構成部品１６Ｂを含む。循環水路構成部品１６Ａ及び循環水路構成部品１６Ｂは、洗濯兼脱水槽１の内底部である底部３に対して固定手段である扇形部ツメ構造２５及び底部ツメ構造２６により固定されている。
【００２７】
これにより、扇形部１７と底部３を直接固定するため、扇形部１７が底部３から浮き上がることを防ぐことができる。そのため、ビス等の固定用部品を使用することなく、浮き上がりによって生じる不具合を抑止することができる。
【００２８】
本実施の形態のように、循環水路構成部品１６Ａ及び循環水路構成部品１６Ｂを取り付ける際に位置決めを行うガイドピン２７及びガイドピン穴２８を備えてもよい。固定手段は、扇形部１７に形成された扇形部ツメ構造２５と、底部３に形成され、扇形部ツメ構造２５と係合する底部ツメ構造２６と、により構成されていてもよい。循環水路構成部品１６Ａ及び循環水路構成部品１６Ｂを洗濯兼脱水槽１に挿入して取り付ける際、扇形部ツメ構造２５と底部ツメ構造２６とが当接するよりも前に、ガイドピン２７及びガイドピン穴２８による位置決めが開始されてもよい。
【００２９】
これにより、位置決めされる前に扇形部ツメ構造２５と底部ツメ構造２６とが干渉して正しい位置からずれることを抑制し、位置決めされた状態で扇形部１７と底部３とを係止できる。そのため、循環水路構成部品１６Ａ及び循環水路構成部品１６Ｂを底部３に対して容易に取り付けることができる。
【００３０】
これにより、扇形部ツメ構造２５は、循環水路構成部品１６Ａ及び循環水路構成部品１６Ｂの中・上部を形成するための金型の抜き方向と、扇形部１７を形成するための金型の抜き方向の組み合わせにより樹脂成形で製造できる。そのため、循環水路構成部品１６Ａ及び循環水路構成部品１６Ｂを量産する場合、製造費を削減できる。
【００３１】
（他の実施の形態）
以上のように、本出願において開示する技術の例示として、実施の形態１を説明した。しかしながら、本開示における技術は、これに限定されない。
【００３２】
そこで、以下、他の実施の形態を例示する。
【００３３】
実施の形態１では、固定手段の一例として、扇形部１７に形成された扇形部ツメ構造２５と、底部３に形成され、扇形部ツメ構造２５と係合する底部ツメ構造２６と、を説明した。固定手段は、循環水路構成部品１６Ａ及び循環水路構成部品１６Ｂを、洗濯兼脱水槽１の内底部である底部３に対して固定するものであればよい。したがって、固定手段は、扇形部ツメ構造２５及び底部ツメ構造２６に限定されない。例えば、扇形部１７を底部３に対してネジ止めしてもよい。ただし、扇形部ツメ構造２５及び底部ツメ構造２６は、循環水路構成部品１６Ａ及び循環水路構成部品１６Ｂを底部３に挿入するだけで係合するので、作業性が高い。また、固定手段として、底部３に循環水路構成部品１６Ａ及び循環水路構成部品１６Ｂの挿入方向に延伸するツメを設け、ツメは扇形部１７に係って止められ
るようにしてもよい。
【００３４】
実施の形態１では、位置決め手段の一例として、ガイドピン２７及びガイドピン穴２８を説明した。位置決め手段は、循環水路構成部品１６Ａ及び循環水路構成部品１６Ｂを取り付ける際に位置決めを行う構成であればよい。従って、ガイドピン２７がガイドピン穴２８に嵌合されるような構成に限定されず、リブと溝が摺動するような構成にしてもよい。また、ガイドピン２７及びガイドピン穴２８の形成位置は、ガイドピン２７を底部３に設け、ガイドピン穴２８を扇形部１７に設けてもよい。
【産業上の利用可能性】
【００３５】
本開示は、循環水路を備えた洗濯機に適用可能である。具体的には、縦型洗濯機、ドラム式洗濯機、二槽式洗濯機などに、本開示は適用可能である。
【符号の説明】
【００３６】
１  洗濯兼脱水槽
２  胴部
３  底部
４  パルセータ
６  受筒
７  モータ
８  本体外枠（筐体）
９  サスペンション
１０  バランサ
１１  下側羽根
１２  ポンプ室
１４  リントフィルタ（開口）
１５  散水ノズル（開口）
１６Ａ  循環水路構成部品
１６Ｂ  循環水路構成部品
１７  扇形部
１８  取水口
２２  扇形部底面
２５  扇形部ツメ構造（固定手段）
２５ａ  扇形部ツメ構造支持部
２５ｂ  扇形部ツメ構造案内面
２５ｃ  扇形部ツメ構造引掛け面
２６  底部ツメ構造（固定手段）
２６ａ  底部ツメ構造開口部
２６ｂ  底部ツメ構造案内面
２６ｃ  底部ツメ構造引掛け面
２７  ガイドピン（位置決め手段）
２８  ガイドピン穴（位置決め手段）
【図１】
2020178952.tif 000003
【図２】
2020178952.tif 000004
【図３】
2020178952.tif 000005
【図４】
2020178952.tif 000006
【図５】
2020178952.tif 000007
【図６】
2020178952.tif 000008
【図７】
2020178952.tif 000009